(57)【要約】【課題】従来の蓄電池は一般的に大型であったためにスペースをとり、また、集中して蓄電施設を作っていたために震災がその設備のあるところに起こると電力が供給できなくなるなどの問題があった。【解決手段】本発明はフェンスが二次電池を設置する構造となっているので、道路や鉄道などのインフラに沿って設置することができるために、鉄道の不採算路線や過疎地の道路に設置することにより収入源となりインフラ設備の維持にもつながる効果を有し、道路や鉄道を管理する会社と電力会社と通信会社などが同じ場所を使用して設備を設け、それぞれの会社の人員を共同の場所で見回りさせることができるので、一社一社の管理費の軽減と効率的な人材の確保が行える。【選択図】図８
2015038268.tif 000002
【特許請求の範囲】
【請求項１】
着脱用の蓄電装置又は着脱用の蓄電装置ケースの、支持用又は隔離用の柱構造又はフレーム構造又は面構造、を構成としたフェンス、
及び、前述のフェンスを交通道に沿って１キロメートルに対して１０メートル以上の長さの比率で設置した交通道、
を構成としたことを特徴とする、交通道。
【請求項２】
上記請求項１のフェンスにおいて、
太陽電池パネル、又は送電用又は通信用の配線、又は水又は熱水などの水道用の管、及びそれらの装置の制御用及び機能用の装置の設置用のフェンス構造、
を構成としたことを特徴とする、フェンス。
【請求項３】
上記請求項１のフェンスにおいて、
蓄電装置又は蓄電装置ケース、又は太陽電池パネル、又は送電用又は通信用の配線の通過及び設置用の空洞構造、又は水又は熱水などの水道用の管の通過及び設置用の空洞構造、など蓄電装置又は蓄電装置以外の機能装置を構成とし、それぞれの枠の大きさを規格化したフェンスとの着脱用カセット、
及び、前述の着脱用カセットの着脱用である、柱構造又はフレーム構造又は面構造を構成とした、上記請求項１のフェンス、
及び、上記の着脱用カセット又は上記のフェンスにおける、上記の装置の制御用及び機能用の装置の設置用構造、
を構成としたことを特徴とする、フェンス。
【請求項４】
上記請求項３の着脱用カセットにおいて、
外側の面にシースルー型太陽電池パネル、及び、その太陽電池パネルより内側に水や熱水などの水道用の管、
を構成としたことを特徴とする、請求項３のフェンス。
【発明の詳細な説明】
【技術分野】
【０００１】
本発明は、蓄電装置の効率的な使用に関する。
【背景技術】
【０００２】
従来の太陽電池は太陽電池セルを複数並べたモジュール構造となり、従来の太陽電池は材料はシリコン系のものや金属化合物系のものや有機化合物系のものや、量子ドットなどがあり、また発電形式もバルク型や薄膜型やタンデム型や色素増感型などがあった。
【０００３】
従来の充電して繰り返し使うことができる蓄電装置は、化学反応によって充電及び放電を行う鉛蓄電池やリチウムイオン電池や、新しい電池では非特許文献１１の第８９頁以降に記載の次世代電池などの化学反応を伴うデバイスなどや、コンデンサーやキャパシタや半導体などを使用した物理的に電気を充電及び放電する物理デバイスや、化学反応を伴うデバイスの部品と物理デバイスの部品を組み合わせた物などもあり、いずれの物も一辺が１０ｃｍ以上の立方体などの様々な形状の物や大きい物から小さい物まで様々に作ることが可能であった。
【先行技術文献】
【非特許文献】
【０００４】
【非特許文献１】よくわかる太陽電池  斉藤勝裕  著  日本実業出版社
【非特許文献２】図解雑学  ロボット  新井健生  監修    ナツメ社
【非特許文献３】図解入門  よくわかる最新油圧・空気圧の基本と仕組み                      坂本俊雄    長岐忠則  著        秀和システム
【非特許文献４】トコトンやさしい機械の本                      朝比奈奎一    三田純義  著     日刊工業新聞社
【非特許文献５】図解入門  よくわかる最新ベアリングの基本と仕組み                      ジェイテクト「ベアリング入門書」  編集委員会  秀和システム
【非特許文献６】図解入門  よくわかる最新電気自動車の基本と仕組み                      御堀直嗣  著                    秀和システム
【非特許文献７】トコトンやさしいモータの本                      谷腰欣司  著                    日刊工業新聞社
【非特許文献８】絵ときでわかる  流体工学                      安達勝之    菅野一仁 著           株式会社オーム社
【非特許文献９】「流体工学」のキホン                      小峯龍男  著    ソフトバンク  クリエイティブ株式会社
【非特許文献１０】トコトンやさしい制御の本                      門田和雄  著                        日刊工業新聞社
【非特許文献１１】最先端電池と材料                        高分子学会［編集］                      共立出版
【非特許文献１２】図解入門  よくわかる最新レアメタルの基本と仕組み                        田中和明  著                      秀和システム
【非特許文献１３】図説機械用語辞典                  実教出版株式会社
【非特許文献１４】トコトンやさしい航空工学の本    高木  雄一                        小塚龍馬  松島丈弘  谷村康行  著  日刊工業新聞社
【非特許文献１５】ニュートン別冊  電力  現状と新発電法                        期待の発電法と新エネルギー  株式会社ニュートンプレス
【発明の概要】
【発明が解決しようとする課題】
【０００５】
従来の蓄電池は一般的に大型であったためにスペースをとり、また、集中して蓄電施設を作っていたために震災がその設備のあるところに起こると電力が供給できなくなるなどの問題があった。
【０００６】
本発明はフェンスが蓄電装置を設置することが可能な構造となっているので、道路や鉄道などの交通道に沿って設置することができるために、鉄道の不採算路線や過去に廃線になった交通道や過疎地の道路に設置することにより、交通道を収入源としてインフラ設備の維持にもつながる効果を有し、また、一つの専門の機関や会社が設備の保守管理を行う場合に道路や鉄道を管理する会社と電力会社と通信会社などのそれぞれの機関や会社が共同の場所を使用してチームを組むことにより。設備の見回りの回数を間接的に増やすことができ、各専門機関や会社の共通の管理項目においては管理費の軽減と効率的な人材の確保が行える。
【課題を解決するための手段】
【０００７】
上記目的を達成するために、本発明の交通道は、着脱用の蓄電装置又は着脱用の蓄電装置ケースの、支持用又は隔離用の柱構造又はフレーム構造又は面構造、を構成としたフェンス、及び、前述のフェンスを交通道に沿って１キロメートルに対して１０メートル以上の長さの比率で設置した交通道、を構成としたことを特徴とする。
【０００８】
本発明のフェンスは、上記０００７のフェンスにおいて、太陽電池パネル、又は送電用又は通信用の配線、又は水などの水道用の管、及びそれらの装置の制御用及び機能用の装置の設置用のフェンス構造、を構成としたことを特徴とする。
【０００９】
本発明のフェンスは、上記０００７のフェンスにおいて、蓄電装置又は蓄電装置ケース、又は太陽電池パネル、又は送電用又は通信用の配線の通過及び設置用の空洞構造、又は水又は熱水などの水道用の管の通過及び設置用の空洞構造、など蓄電装置又は蓄電装置以外の機能装置を構成とし、それぞれの枠の大きさを規格化したフェンスとの着脱用カセット及び、前述の着脱用カセットの着脱用である、柱構造又はフレーム構造又は面構造を構成とした、上記０００７のフェンス、及び、上記の着脱用カセット又は上記のフェンスにおける、上記の装置の制御用及び機能用の装置の設置用構造、を構成としたことを特徴とする。
【００１０】
本発明の０００９のフェンスは、上記０００９の着脱用カセットにおいて、外側の面にシースルー型太陽電池パネル、及び、その太陽電池パネルより内側に水や熱水などの水道用の管、を構成としたことを特徴とする。
【００１１】
上記０００７の作用は、本発明の交通道は、着脱用の蓄電装置又は着脱用の蓄電装置ケースの、支持用又は隔離用の柱構造又はフレーム構造又は面構造、を構成としたフェンス、及び、前述のフェンスを交通道に沿って１キロメートルに対して１０メートル以上の長さの比率で設置した交通道、を構成としたために、遠方や近所で発電した電力を交通道に並べたフェンスで蓄電し、スペースをとらない蓄電装置の設置が可能となる。
【００１２】
上記０００８の作用は、上記０００７のフェンスにおいて、太陽電池パネル、又は送電用又は通信用の配線、又は水などの水道用の管、及びそれらの装置の制御用及び機能用の装置の設置用のフェンス構造、を構成としたために、本発明のフェンス又はフェンス付近において発電や送電用の電線や光ファイバー等の通信用回線の設置が可能となる。
【００１３】
上記０００９の作用は、上記０００７のフェンスにおいて、蓄電装置又は蓄電装置ケース、又は太陽電池パネル、又は送電用又は通信用の配線の通過及び設置用の空洞構造、又は水又は熱水などの水道用の管の通過及び設置用の空洞構造、など蓄電装置又は蓄電装置以外の機能装置を構成とし、それぞれの枠の大きさを規格化したフェンスとの着脱用カセット及び、前述の着脱用カセットの着脱用である、柱構造又はフレーム構造又は面構造を構成とした、上記０００７のフェンス、及び、上記の着脱用カセット又は上記のフェンスにおける、上記の装置の制御用及び機能用の装置の設置用構造、を構成としたために、工場において装着する多様な装置を一定の大きさのカセットに組み上げておき、現場にあるカセットを着脱するための一定の大きさの規格のフェンスのフレームにカセットを装着することが可能となる。
【００１４】
上記００１０の作用は、上記０００９のフェンスにおいて、外側の面にシースルー型太陽電池パネル、及び、その太陽電池パネルより内側に水や熱水などの水道用の管、を構成としたために、発電を行う太陽電池パネルを通過した太陽光によって熱水を作ることが可能となる。
【発明の効果】
【００１５】
本発明の一つの交通道は、遠方や近所で発電した電力を交通道に並べたフェンスで蓄電し、スペースをとらない蓄電装置の設置が可能となるために、特別に蓄電用の広大な用地を設けずに人や乗り物の動きへ支障を来しにくく、大量の蓄電装置の設置を全国の広域において行うことにより震災等のリスク分散ができるという効果を有する。
【００１６】
本発明の一つのフェンスは本発明のフェンス又はフェンス付近において発電や送電用の電線や光ファイバー等の通信用回線の設置が可能となるために、フェンスのスペースを用いた多様な機能や機構を追加できるという効果を有する。
【００１７】
本発明の一つのフェンスは、工場において装着する多様な装置を一定の大きさのカセットに組み上げておき、現場にあるカセットを着脱するための一定の大きさの規格のフェンスのフレームにカセットを装着することが可能となるために、装置の不具合が出た時カセットをそのまま取り替え工場で修理したりしてメンテナンスを簡便にしたり、使用する装置の種類を途中で変向したりして、簡便に多様な装置を使用することができるという効果を有する。
【００１８】
本発明の一つのフェンスは、発電を行う太陽電池パネルを通過した太陽光によって熱水を作ることが可能となるために、限られたスペースで簡便に発電を行うことと熱水を作ることができるという効果を有する。
【図面の簡単な説明】
【００１９】
【図１】本発明請求項１の簡略図一例
【図２】本発明請求項１の簡略図一例
【図３】本発明請求項１の簡略図一例
【図４】本発明請求項２の簡略図一例
【図５】本発明請求項２の簡略図一例
【図６】本発明請求項２の簡略図一例
【図７】本発明請求項２の簡略図一例
【図８】本発明の簡略図一例
【図９】本発明請求項１の簡略図一例
【図１０】本発明で使用可能な街灯の簡略図一例
【図１１】本発明で使用可能な柱構造又はフレーム構造の簡略図一例
【図１２】本発明で使用可能なカセットと構造の簡略図一例
【図１３】本発明で使用可能な太陽電池と本発明請求項４の装置の簡略図一例
【図１４】本発明のフェンスの使用例の簡略図一例
【発明を実施するための最良の形態】
【００２０】
図１は本発明請求項１のフェンスを斜め上から見た簡略図一例を示し、（１）はフェンスを支える請求項１に記載の「支持用又は隔離用の柱構造」である柱、（２）はフェンスの蓄電装置収納部付近の蓋である。
【００２１】
フェンスに着脱される着脱用の蓄電装置や着脱用の蓄電装置ケースは、蓄電装置や蓄電装置ケース自体が防水等の堅牢構造をしたものであっても、フェンスの蓄電装置や蓄電装置ケース用の蓋（図９の（Ａ）に記載）により防水等の堅牢構造をしたものであっても、蓄電装置の防水等の堅牢性が保たれるものであればその種類は限定しない。
【００２２】
図２は本発明請求項１に記載の「着脱用の蓄電装置又は着脱用の蓄電装置ケース」の形状の簡略図一例を示し、（A）は平面形状、（B）は四角柱形状、（C）は円柱形状、（D）は六角柱形状となったものであり、それらの形状や材質や構造の種類は限定しない。
【００２３】
図３は本発明請求項１のフェンスで使用可能である蓄電装置収納スペースの簡略図一例を示し、（A）は請求項１に記載の「着脱用の蓄電装置又は着脱用の蓄電装置ケースの、支持用又は隔離用の柱構造」である柱の間の中央に直接装着する形状、（B）は請求項１に記載の「着脱用の蓄電装置又は着脱用の蓄電装置ケースの、支持用又は隔離用の・・・フレーム構造又は面構造」が四角柱のものを複数装着する形状のもの、（C）は請求項１に記載の「着脱用の蓄電装置又は着脱用の蓄電装置ケースの、支持用又は隔離用の・・・フレーム構造又は面構造」が円柱形状のものを複数装着する形状のもの、（D）は請求項１に記載の「着脱用の蓄電装置又は着脱用の蓄電装置ケースの、支持用又は隔離用の・・・フレーム構造又は面構造」が六角柱形状のものを複数装着する形状のものである。
【００２４】
また、請求項１に記載の「着脱用の蓄電装置又は着脱用の蓄電装置ケースの、支持用又は隔離用の柱構造又はフレーム構造又は面構造」は本発明の請求項の条件を満たすものであればそれらの形状や材質や構造などの種類は限定しない。
【００２５】
図４は本発明請求項２の太陽電池を固定するための台を真上から見た簡略図一例を示し、図４の（A）及び（B）はカセット式の太陽電池パネル又はカセット式の太陽電池のパネルを囲むフレームを固定するためのフレーム枠で、図４の（C）はカセット式の太陽電池のパネル又はカセット式の太陽電池のパネルを囲むフレームを下から支えるためのフレームである。
【００２６】
図５は本発明請求項２の太陽電池を固定するための台を支える部分を横から見た簡略図一例を示し、図５の（A）は図４のいずれかのフレームに対してアーチ形状の支えを片側に設けたもので、図５の（B）は図４のいずれかのフレームに対して直線形状の支えを両側に設けたもので、図５の（C）は図４のいずれかのフレームに対して両側を柱で支える形状のものであり、十分な強度があるものであればそれらの形状や材質や構造の種類は限定しない。
【００２７】
図６は本発明請求項２に記載の「太陽電池パネル、・・・、及びそれらの装置の制御用及び機能用の装置の設置用のフェンス構造、」である、太陽電池を乗せて固定するための台が可動式になったもの一例の簡略図を示し、図６の（A）は太陽電池のパネルが垂直にできる機構を有したもので、図６の（B）は複数の太陽電池のパネルの角度を同時に調整できる機構を有したものである。
【００２８】
また、本発明のフェンスは、インバーター装置を有したり、モーターを有し水の浄化装置と接続できたり、他の発電方式の発電装置を有したり、太陽熱を利用できる装置を複合するなど、本発明の条件を満たすものであればその種類は限定しない。
【００２９】
また、他の発電設備からの電力を蓄電したり、IT技術や通信技術による管理など様々なものが考えることができる。
【実施例】
【００３０】
図７は本発明のフェンス上部に設置するタイプである請求項２の上部付近を横から見た簡略図一例を示し、（A）は図１の短辺方向に切った断面と同じ方向の断面であり、（B）は図１の長辺方向と垂直な位置（短辺方向の延長線上）と同じ方向から見た図であり、太陽電池パネルの角度は緯度や地形に合わせて角度を調整することが可能である。
【００３１】
図８は本発明の使用一例の簡略図を示し、図８の（A）は本発明の蓄電装置を内蔵するフェンスを鉄道に設置したもので、図８の（B）は本発明の蓄電装置を内蔵するフェンスを道路に設置したもので、図８の（C）は図８の（B）のフェンスを横方向から見たものの図であり、請求項１に記載の「前述のフェンスを交通道に沿って１キロメートルに対して１０メートル以上の長さの比率で設置した交通道」である。
【００３２】
図８の（３）は請求項１のフェンス、（４）は請求項２の太陽電池、（５）は太陽電池の支えである。
【００３３】
図８の（A）において、左端のやや低い（３）は上部に（４）を装着し、真ん中の（３）は下に作業員が通ることができ上部の（４）が夏場は日陰となるもので、右端の（３）は（３）の上部と山の斜面で（４）を支えるようにしたものである。
【００３４】
図８の（B）について、左側のガードレール位の高さの（３）は道路に沿って設けられたもので（４）は装着していないもので、右側は通常のグリーンベルトの位置に道路に沿って上部に（４）を乗せて設けられたもので右側に支えの柱（７）を有したものであり、これも上記の図８の（A）と同様に作業員が夏場は日陰で作業できるよう通路とともに設置されたものである。
【００３５】
本発明で記載したフェンスは公園や建物の屋上等にも設置することが可能である。
【００３６】
（３）の内部における蓄電装置を収納する部分は断熱塗料を塗ったり、防水加工や温度調整用の通気構造などをすることを考えることができる。
【００３７】
またカラーリングにおいて、（３）の色を漆喰系の白色にして（４）の側面などを日本の伝統的な瓦のつやのある鼠色系統の色で統一したものや、寺社仏閣を有した観光地において（３）や（４）に朱色や古くなった木の色に近い焦げ茶色を使い塗装したものや、都市では（３）と（４）を無彩色系で統一したものや、レトロな煉瓦調の柄に塗装したり、世界では各国の街のカラーに合わせて塗装することにより、本発明の建造物を町に適合させることができる。
【００３８】
図９は本発明請求項１で使用可能な簡略図一例を示し、図９の（A）は図１の点線（X−X'）と平行な断面のフェンス部分を示し、（３）の「面構造」のフェンス外装に（２）の「面構造」の蓄電装置収納用カバーを矢印の方向へ装着して請求項１に記載の「着脱用の蓄電装置又は着脱用の蓄電装置ケースの、支持用又は隔離用・・・、面構造」である棚（１０）に二次電池やキャパシタ等の蓄電装置を載せて装着するタイプのものである。
【００３９】
図９の（B）は図１の点線（Y−Y'）と平行な断面のフェンス部分を示し、（１）はフェンス外装の内部を貫通しフェンス用外装（３）の内壁と接合するフェンス用柱であり、フェンスに内蔵する蓄電装置同士を隔離することが可能であり、（１）を挟んで存在する（１０）の棚は（１）によって完全に分断され遮蔽したものである。
【００４０】
本発明で用いる「面構造」は平らな板状のものであっても、モノコック構造のものであっても、セミモノコック構造構造のものであってもよく、本発明の条件を満たすものであれば、それらの種類は限定しない。
【００４１】
本発明の説明の図で記載しているフェンス用外装（３）やフェンス用柱（１）の材質は、鉄製の鋼板などの金属により作ることが可能であり蓄電装置同士を隔離することが可能な構造を有したものである。
【００４２】
図１０は本発明で使用可能な街灯の簡略図一例であり、（A）は球形状に近い形の有機EL外装の内部に下部方向を照らすLED灯を有したものであり、（B）は（A）が看板形状の直方筒になったものであり、（ｃ）はガス灯形状のフレームに有機ELをはめ込んだ形状のものであり、（D）は筒形状の有機ELを重ねて形成したものであり、（E）は（A）を下から見たものであり、（F）は（B）を下から見たものである。
【００４３】
また、看板形状のディスプレー等を用いて、通常は店の宣伝を表示し、震災時等の時には避難場所や震災等の状況の情報を表示するなど、使用の方法や、それらの形状や構造や材質の種類は限定しない。
【００４４】
図１１は請求項２に記載の「送電用又は通信用の配線、又は水又は熱水などの水道用の管、及びそれらの装置の制御用及び機能用の装置の設置用のフェンス構造」の簡略図一例を示し、図１１の（Ａ）及び（Ｂ）は請求項１のフェンスの内部に設けられた請求項２に記載の「使用可能な配線又は配管などを貫通させる穴」の空間を構成するフレーム（１１）に点線で示した配線又は配管（１２）の位置関係を示したものである。
【００４５】
図１１の（Ｃ）はフェンスの外部に配線又は配管を配置し正面から見た断面の簡略図一例を示し、フェンスの外部に（１２）を有したものである。
【００４６】
図１１の（Ｄ）はフェンスの構成面に穴を設けたものを斜め方向から見た簡略図一例を示したものである。
【００４７】
フェンスに設ける空間構造の形状や構造の種類は本発明の条件を満たすものであればそれらの種類は限定しない。
【００４８】
図１２は本発明請求項３で使用可能な「・・・それぞれの枠の大きさを規格化したフェンスとの着脱用カセット、及び、前述の着脱用カセットの着脱用である、柱構造又はフレーム構造又は面構造を構成とした、上記請求項１のフェンス、・・・」の一例の簡略図を示し、図１２の（Ａ）は冷却用のラジエータ（１４）を内部に有したカセット（１３）示した図であり、図（１２）の（Ｂ）は図１２の（Ａ）を横から見た図でプロペラ（１６）が回転することにより矢印の方向へ風を送風するタイプの冷却装置であり、図１２の（Ｃ）は図１２の（Ａ）を着脱する請求項３のフレーム（１５）の簡略図である。
【００４９】
また、（１３）のカセットは外枠の内側に、通常のフェンスの網を設けたものや、格子戸を設けたものや、高速道路等で使用されている防音用のパネル等を設けたものであってもよく、また、それらは本発明ののフェンス自体に設けられたものであってもよく、それらの形状や構造や材質などそれらの種類は限定しない。
【００５０】
図１３は本発明請求項３で使用可能な太陽電池パネル、及び本発明請求項４の「外側の面にシースルー型太陽電池パネル、及び、その太陽電池パネルより内側に水や熱水などの水道用の管」の一例の簡略図を示し、図１３の（Ａ）と図１３の（Ｂ）は太陽光パネル（１７）を内部に有したカセット（１３）と、（１３）を固定するフレーム（１５）を示した図であり、シースルータイプの太陽光パネルを複数枚有したカセットである。
【００５１】
図１３の（Ｃ）〜図１３の（Ｆ）は非特許文献１の第１６８頁等のシースルー型の太陽光パネル（１７）と太陽電池パネルより内側に設けた水道用の管（１８・１９・１９’）をそれぞれ有したカセット（１３）を示した請求項４の簡略図である。
【００５２】
図１３の（Ｄ）と図１３の（Ｃ）を横から見た簡略図であり、太陽の熱により熱水を作る水道用の管（１８）と水を流す水道用の管（１９）及び熱水を流す水道用の管（１９’）が片面から入ってくる太陽光により暖められるタイプのものである。
【００５３】
図１３の（Ｆ）と図１３の（Ｅ）を横から見た簡略図であり、太陽の熱により熱水を作る管（１８）と水を流す水道用の管（１９）及び熱水を流す水道用の管（１９’）が両面から太陽光が入ることが可能なカセットのタイプのものである。
【００５４】
また、図１３の（Ｅ）では熱水を半分ほど排出した後に新たに水を管に入れて温める方式のものであるが、管の上部付近に空気の開通用のバルブ装置を設けるなどそれらの組み合わせの種類は限定しない。
【００５５】
図１３の（Ｂ）や図１３の（Ｄ）にカセットの内部に入ってきた光を反射させるための鏡を設置することも可能である。
【００５６】
図１４は本発明のフェンスの使用例の簡略図一例を示し、図１４の（Ａ）と（Ｂ）は鉄道に本発明のフェンスを設けたものであり、（Ａ）は正面から見た簡略図で、（Ｂ）は側面から見た簡略図で、フェンスの蓄電装置収納部分（２１）が、脚用柱（２０）により持ち上げられた状態で設置されたものであり、雪が積もりやすい地帯などで雪かきをしやすいように設置したものであり、電車の乗客が風景を見やすくするために（２１）の高さを低く抑えたものでもあり、形状や構造などそれらの種類は限定しない。
【００５７】
図１４の（Ｃ）と（Ｄ）は商店街にフェンスを梁状にして設けたものであり、（Ｃ）は側面から見た簡略図で、（Ｄ）は正面から見た簡略図で、フェンスの蓄電装置収納部分（２３）が、柱（２２）により持ち上げられた状態で設置されたものであり、梁（２４）に看板形状のディスプレー（２５）が懸架され、（２４）上部に太陽電池パネル（２６）が設けられたものであり、（２４）の上部には地震等により万が一の蓄電装置の落下等を防ぐため（２６）を設けたものである。
【００５８】
図１４の（Ｅ）と（Ｆ）は住宅に本発明のフェンスを設けたものであり、（Ｅ）は上方から見た簡略図で、（Ｆ）は住宅を正面から見た簡略図で、本発明のフェンス（２７）を設けたものである。
【００５９】
災害時や緊急時に政府機関等が使用できるように作動する、非常用電源としてのコンセント機能や非常用発電及び充電警報器等の装置や機構の種類は限定しない。
【００６０】
本発明の実施態様は以下の通りである。
１．本発明の交通道の長さは何キロメートルであってもよく、また交通道に沿って設けるフェンスの長さも請求項１の条件以上の長さであればよい。
２．本発明の請求項の条件を満たすものであれば、形状や材質や構造などその種類は限定しない。
３．蓄電装置は、二次電池であっても、コンデンサやキャパシタや半導体であってもある一定以上の大きさで使用する場合は、外装の形状や大きさなどの種類は統一又はほぼ統一することができ、本発明は交通道やフェンスに関するものであるので、それらの種類の違いは限定しない。
４．本発明の請求項の条件を満たすものであれば、本発明に複合する機能や装置や構造体などその種類は限定しない。
【符号の説明】
【００６１】
１：フェンス用柱  、  ２：蓄電装置収納用カバー  、  ３：フェンス  、  ４：太陽電池  、  ５：支え  、  ６：ガードレール  、  ７：柱  、  ８：電車  、  ９：自動車
１０：蓄電装置装着用の棚  、  １１：フレーム、  １２：配線又は配管、  １３：カセット、  １４：ラジエータ、  １５：フレーム、  １６：プロペラ、  １７：太陽光パネル、  １８・１９・１９’：水道用の管、  ２０：脚用柱、  ２１・２３：フェンスの蓄電装置収納部分、  ２２：柱 、  ２４：梁、  ２５：看板用のディスプレー、  ２６：太陽電池パネル 、  ２７：本発明のフェンス
【図１】
2015038268.tif 000003
【図２】
2015038268.tif 000004
【図３】
2015038268.tif 000005
【図４】
2015038268.tif 000006
【図５】
2015038268.tif 000007
【図６】
2015038268.tif 000008
【図７】
2015038268.tif 000009
【図８】
2015038268.tif 000010
【図９】
2015038268.tif 000011
【図１０】
2015038268.tif 000012
【図１１】
2015038268.tif 000013
【図１２】
2015038268.tif 000014
【図１３】
2015038268.tif 000015
【図１４】
2015038268.tif 000016
【手続補正書】
【提出日】平成25年3月21日(2013.3.21)
【手続補正１】
【補正対象書類名】明細書
【補正対象項目名】全文
【補正方法】変更
【補正の内容】
【発明の詳細な説明】
【技術分野】
【０００１】  本発明は、蓄電装置の効率的な使用に関する。
【背景技術】
【０００２】  従来の太陽電池は太陽電池セルを複数並べたモジュール構造となり、従来の太陽電池は材料はシリコン系のものや金属化合物系のものや有機化合物系のものや、量子ドットなどがあり、また発電形式もバルク型や薄膜型やタンデム型や色素増感型などがあった。【０００３】  従来の充電して繰り返し使うことができる蓄電装置は、化学反応によって充電及び放電を行う鉛蓄電池やリチウムイオン電池や、新しい電池では非特許文献１１の第８９頁以降に記載の次世代電池などの化学反応を伴うデバイスなどや、コンデンサーやキャパシタや半導体などを使用した物理的に電気を充電及び放電する物理デバイスや、化学反応を伴うデバイスの部品と物理デバイスの部品を組み合わせた物などもあり、いずれの物も一辺が１０ｃｍ以上の立方体などの様々な形状の物や大きい物から小さい物まで様々に作ることが可能であった。
【先行技術文献】
【非特許文献】
【０００４】
【非特許文献１】よくわかる太陽電池  斉藤  勝裕  著    日本実業出版社
【非特許文献２】図解雑学  ロボット  新井  健生    監修      ナツメ社
【非特許文献３】図解入門  よくわかる最新油圧・空気圧の基本と仕組み                坂本  俊雄    長岐  忠則    著                秀和システム
【非特許文献４】トコトンやさしい機械の本                朝比奈  奎一    三田  純義    著            日刊工業新聞社
【非特許文献５】図解入門  よくわかる最新ベアリングの基本と仕組み                ジェイテクト「ベアリング入門書」  編集委員会  秀和システム
【非特許文献６】図解入門  よくわかる最新電気自動車の基本と仕組み                    御堀  直嗣    著                          秀和システム
【非特許文献７】トコトンやさしいモータの本                    谷腰  欣司  著                          日刊工業新聞社
【非特許文献８】絵ときでわかる  流体工学                    安達  勝之    菅野  一仁          株式会社    オーム社
【非特許文献９】「流体工学」のキホン                    小峯  龍男        ソフトバンク  クリエイティブ株式会社
【非特許文献１０】トコトンやさしい制御の本                    門田  和雄    著                        日刊工業新聞社
【非特許文献１１】最先端電池と材料                    高分子学会［編集］                            共立出版
【非特許文献１２】図解入門  よくわかる最新レアメタルの基本と仕組み                    田中  和明                                秀和システム
【非特許文献１３】図説機械用語辞典                  実教出版株式会社
【非特許文献１４】トコトンやさしい航空工学の本    高木  雄一                    小塚  龍馬  松島  丈弘  谷村  康行  著  日刊工業新聞社
【非特許文献１５】ニュートン別冊  電力  現状と新発電法                    期待の発電法と新エネルギー    株式会社ニュートンプレス
【発明の概要】
【発明が解決しようとする課題】
【０００５】  従来の蓄電池は一般的に大型であったためにスペースをとり、また、集中して蓄電施設を作っていたために震災がその設備のあるところに起こると電力が供給できなくなるなどの問題があった。【０００６】  本発明はフェンスが蓄電装置を設置することが可能な構造となっているので、道路や鉄道などの交通道に沿って設置することができるために、鉄道の不採算路線や過去に廃線になった交通道や過疎地の道路に設置することにより、交通道を収入源としてインフラ設備の維持にもつながる効果を有し、また、一つの専門の機関や会社が設備の保守管理を行う場合に道路や鉄道を管理する会社と電力会社と通信会社などのそれぞれの機関や会社が共同の場所を使用してチームを組むことにより。設備の見回りの回数を間接的に増やすことができ、各専門機関や会社の共通の管理項目においては管理費の軽減と効率的な人材の確保が行える。
【課題を解決するための手段】
【０００７】  上記目的を達成するために、本発明の道路又は鉄道を構成する交通道は、着脱用の蓄電装置又は着脱用の蓄電装置ケースの、支持用又は隔離用の柱構造又はフレーム構造又は面構造、を構成としたフェンス、及び、前述のフェンスを道路又は鉄道を構成する交通道に沿って１キロメートルに対して１０メートル以上の長さの比率で設置した道路又は鉄道を構成する交通道、を構成としたことを特徴とする。【０００８】  本発明の請求項１の一つのフェンスは、上記０００７のフェンスにおいて、太陽電池パネルの設置用、又は送電用又は通信用の配線の設置用、又は水などの水道用の管の設置用、及びそれらの装置の制御用及び機能用の装置の設置用の、フェンス構造、を構成としたことを特徴とする。【０００９】  本発明の請求項１の一つのフェンスは、上記０００７のフェンスにおいて、蓄電装置又は蓄電装置ケース、又は送電用又は通信用の配線の通過及び設置用の空洞構造、又は水又は熱水などの水道用の管の通過及び設置用の空洞構造、など蓄電装置を構成とし、枠の大きさを規格化したフェンスとの着脱用カセット、及び、前述の着脱用カセットの着脱用である、柱構造又はフレーム構造又は面構造を構成とした、上記０００７のフェンス、及び、上記の着脱用カセット又は上記のフェンスにおける、上記の装置の制御用及び機能用の装置の設置用構造、を構成としたことを特徴とする。【００１０】  上記０００７の作用は、本発明の道路又は鉄道を構成する交通道は、着脱用の蓄電装置又は着脱用の蓄電装置ケースの、支持用又は隔離用の柱構造又はフレーム構造又は面構造、を構成としたフェンス、及び、前述のフェンスを道路又は鉄道を構成する交通道に沿って１キロメートルに対して１０メートル以上の長さの比率で設置した道路又は鉄道を構成する交通道、を構成としたために、遠方や近所で発電した電力を交通道に並べたフェンスで蓄電し、スペースをとらない蓄電装置の設置が可能となる。【００１１】  上記０００８の作用は、上記０００７のフェンスにおいて、太陽電池パネルの設置用、又は送電用又は通信用の配線の設置用、又は水などの水道用の管の設置用、及びそれらの装置の制御用及び機能用の装置の設置用の、フェンス構造、を構成としたために、本発明のフェンス又はフェンス付近において発電や送電用の電線や光ファイバー等の通信用回線の設置が可能となる。【００１２】  上記０００９の作用は、上記０００７のフェンスにおいて、蓄電装置又は蓄電装置ケース、又は送電用又は通信用の配線の通過及び設置用の空洞構造、又は水又は熱水などの水道用の管の通過及び設置用の空洞構造、など蓄電装置を構成とし、枠の大きさを規格化したフェンスとの着脱用カセット、及び、前述の着脱用カセットの着脱用である、柱構造又はフレーム構造又は面構造を構成とした、上記０００７のフェンス、及び、上記の着脱用カセット又は上記のフェンスにおける、上記の装置の制御用及び機能用の装置の設置用構造、を構成としたために、工場において装着する多様な装置を一定の大きさのカセットに組み上げておき、現場にあるカセットを着脱するための一定の大きさの規格のフェンスのフレームにカセットを装着することが可能となる。
【発明の効果】
【００１３】  本発明の一つの道路又は鉄道を構成する交通道は、遠方や近所で発電した電力を交通道に並べたフェンスで蓄電し、スペースをとらない蓄電装置の設置が可能となるために、特別に蓄電用の広大な用地を設けずに人や乗り物の動きへ支障を来しにくく、大量の蓄電装置の設置を全国の広域において行うことにより震災等のリスク分散ができるという効果を有する。【００１４】  本発明の一つのフェンスは本発明のフェンス又はフェンス付近において発電や送電用の電線や光ファイバー等の通信用回線の設置が可能となるために、フェンスのスペースを用いた多様な機能や機構を追加できるという効果を有する。【００１５】  本発明の一つのフェンスは、工場において装着する多様な装置を一定の大きさのカセットに組み上げておき、現場にあるカセットを着脱するための一定の大きさの規格のフェンスのフレームにカセットを装着することが可能となるために、装置の不具合が出た時カセットをそのまま取り替え工場で修理したりしてメンテナンスを簡便にしたり、使用する装置の種類を途中で変向したりして、簡便に多様な装置を使用することができるという効果を有する。
【図面の簡単な説明】
【００１６】
【図１】本発明請求項１の簡略図一例
【図２】本発明請求項１の簡略図一例
【図３】本発明請求項１の簡略図一例
【図４】本発明請求項２の簡略図一例
【図５】本発明請求項２の簡略図一例
【図６】本発明請求項２の簡略図一例
【図７】本発明請求項２の簡略図一例
【図８】本発明の簡略図一例
【図９】本発明請求項１の簡略図一例
【図１０】本発明で使用可能な街灯の簡略図一例
【図１１】本発明で使用可能な柱構造又はフレーム構造の簡略図一例
【図１２】本発明で使用可能なカセットと構造の簡略図一例
【図１３】本発明で使用可能な装置の簡略図一例
【図１４】本発明のフェンスの使用例の簡略図一例
【発明を実施するための最良の形態】
【００１７】  図１は本発明請求項１のフェンスを斜め上から見た簡略図一例を示し、（１）はフェンスを支える請求項１に記載の「支持用又は隔離用の柱構造」である柱、（２）はフェンスの蓄電装置収納部付近の蓋である。【００１８】  フェンスに着脱される着脱用の蓄電装置や着脱用の蓄電装置ケースは、蓄電装置や蓄電装置ケース自体が防水等の堅牢構造をしたものであっても、フェンスの蓄電装置や蓄電装置ケース用の蓋（図９の（Ａ）に記載）により防水等の堅牢構造をしたものであっても、蓄電装置の防水等の堅牢性が保たれるものであればその種類は限定しない。【００１９】  図２は本発明請求項１に記載の「着脱用の蓄電装置又は着脱用の蓄電装置ケース」の形状の簡略図一例を示し、（A）は平面形状、（B）は四角柱形状、（C）は円柱形状、（D）は六角柱形状となったものであり、それらの形状や材質や構造の種類は限定しない。【００２０】  図３は本発明請求項１のフェンスで使用可能である蓄電装置収納スペースの簡略図一例を示し、（A）は請求項１に記載の「着脱用の蓄電装置又は着脱用の蓄電装置ケースの、支持用又は隔離用の柱構造」である柱の間の中央に直接装着する形状、（B）は請求項１に記載の「着脱用の蓄電装置又は着脱用の蓄電装置ケースの、支持用又は隔離用の・・・フレーム構造」が四角柱のものを複数装着する形状のもの、（C）は請求項１に記載の「着脱用の蓄電装置又は着脱用の蓄電装置ケースの、支持用又は隔離用の・・・フレーム構造」が円柱形状のものを複数装着する形状のもの、（D）は請求項１に記載の「着脱用の蓄電装置又は着脱用の蓄電装置ケースの、支持用又は隔離用の・・・フレーム構造」が六角柱形状のものを複数装着する形状のものである。【００２１】  また、請求項１に記載の「着脱用の蓄電装置又は着脱用の蓄電装置ケースの、支持用又は隔離用の柱構造又はフレーム構造又は面構造」は本発明の請求項の条件を満たすものであればそれらの形状や材質や構造などの種類は限定しない。【００２２】  図４は本発明請求項２の太陽電池を固定するための台を真上から見た簡略図一例を示し、図４の（A）及び（B）はカセット式の太陽電池パネル又はカセット式の太陽電池のパネルを囲むフレームを固定するためのフレーム枠で、図４の（C）はカセット式の太陽電池のパネル又はカセット式の太陽電池のパネルを囲むフレームを下から支えるためのフレームである。【００２３】  図５は本発明請求項２の太陽電池を固定するための台を支える部分を横から見た簡略図一例を示し、図５の（A）は図４のいずれかのフレームに対してアーチ形状の支えを片側に設けたもので、図５の（B）は図４のいずれかのフレームに対して直線形状の支えを両側に設けたもので、図５の（C）は図４のいずれかのフレームに対して両側を柱で支える形状のものであり、十分な強度があるものであればそれらの形状や材質や構造の種類は限定しない。【００２４】  図６は本発明請求項２に記載の「太陽電池パネルの設置用、又は・・・、及びそれらの装置の制御用及び機能用の装置の設置用の、フェンス構造、」である、太陽電池を乗せて固定するための台が可動式になったもの一例の簡略図を示し、図６の（A）は太陽電池のパネルが垂直にできる機構を有したもの��、図６の（B）は複数の太陽電池のパネルの角度を同時に調整できる機構を有したものである。【００２５】  また、本発明のフェンスは、インバーター装置を有したり、モーターを有し水の浄化装置と接続できたり、他の発電方式の発電装置を有したり、太陽熱を利用できる装置を複合するなど、本発明の条件を満たすものであればその種類は限定しない。【００２６】  また、他の発電設備からの電力を蓄電したり、IT技術や通信技術による管理など様々なものが考えることができる。
【実施例】
【００２７】  図７は本発明のフェンス上部に設置するタイプである請求項２の上部付近を横から見た簡略図一例を示し、（A）は図１の短辺方向に切った断面と同じ方向の断面であり、（B）は図１の長辺方向と垂直な位置（短辺方向の延長線上）と同じ方向から見た図であり、太陽電池パネルの角度は緯度や地形に合わせて角度を調整することが可能である。【００２８】  図８は本発明の使用一例の簡略図を示し、図８の（A）は本発明の蓄電装置を内蔵するフェンスを鉄道に設置したもので、図８の（B）は本発明の蓄電装置を内蔵するフェンスを道路に設置したもので、図８の（C）は図８の（B）のフェンスを横方向から見たものの図であり、図８の（A）〜（C）は請求項１に記載の「前述のフェンスを道路又は鉄道を構成する交通道に沿って１キロメートルに対して１０メートル以上の長さの比率で設置した道路又は鉄道を構成する交通道」である。【００２９】  図８の（３）は請求項１のフェンス、（４）は太陽電池、（５）は太陽電池の支えである。【００３０】  図８の（A）において、左端のやや低い（３）は上部に（４）を装着し、真ん中の（３）は下に作業員が通ることができ上部の（４）が夏場は日陰となるもので、右端の（３）は（３）の上部と山の斜面で（４）を支えるようにしたものである。【００３１】  図８の（B）について、左側のガードレール位の高さの（３）は道路に沿って設けられたもので（４）は装着していないもので、右側は通常のグリーンベルトの位置に道路に沿って上部に（４）を乗せて設けられたもので右側に支えの柱（７）を有したものであり、これも上記の図８の（A）と同様に作業員が夏場は日陰で作業できるよう通路とともに設置されたものである。【００３２】  本発明で記載したフェンスは公園や建物の屋上等にも設置することが可能である。【００３３】  （３）の内部における蓄電装置を収納する部分は断熱塗料を塗ったり、防水加工や温度調整用の通気構造などをすることを考えることができる。【００３４】  またカラーリングにおいて、（３）の色を漆喰系の白色にして（４）の側面などを日本の伝統的な瓦のつやのある鼠色系統の色で統一したものや、寺社仏閣を有した観光地において（３）や（４）に朱色や古くなった木の色に近い焦げ茶色を使い塗装したものや、都市では（３）と（４）を無彩色系で統一したものや、レトロな煉瓦調の柄に塗装したり、世界では各国の街のカラーに合わせて塗装することにより、本発明の建造物を町に適合させることができる。【００３５】  図９は本発明請求項１で使用可能な簡略図一例を示し、図９の（A）は図１の点線（X−X'）と平行な断面のフェンス部分を示し、（３）の「面構造」のフェンス外装に（２）の「面構造」の蓄電装置収納用カバーを矢印の方向へ装着して請求項１に記載の「着脱用の蓄電装置又は着脱用の蓄電装置ケースの、支持用又は隔離用・・・、面構造」である棚（１０）に二次電池やキャパシタ等の蓄電装置を載せて装着するタイプのものである。【００３６】  図９の（B）は図１の点線（Y−Y'）と平行な断面のフェンス部分を示し、（１）はフェンス外装の内部を貫通しフェンス用外装（３）の内壁と接合するフェンス用柱であり、フェンスに内蔵する蓄電装置同士を隔離することが可能であり、（１）を挟んで存在する（１０）の棚は（１）によって完全に分断され遮蔽したものである。【００３７】  本発明で用いる「面構造」は平らな板状のものであっても、モノコック構造のものであっても、セミモノコック構造構造のものであってもよく、本発明の条件を満たすものであれば、それらの種類は限定しない。【００３８】  本発明の説明の図で記載しているフェンス用外装（３）やフェンス用柱（１）の材質は、鉄製の鋼板などの金属により作ることが可能であり蓄電装置同士を隔離することが可能な構造を有したものである。【００３９】  図１０は本発明で使用可能な街灯の簡略図一例であり、（A）は球形状に近い形の有機EL外装の内部に下部方向を照らすLED灯を有したものであり、（B）は（A）が看板形状の直方筒になったものであり、（ｃ）はガス灯形状のフレームに有機ELをはめ込んだ形状のものであり、（D）は筒形状の有機ELを重ねて形成したものであり、（E）は（A）を下から見たものであり、（F）は（B）を下から見たものである。【００４０】  また、看板形状のディスプレー等を用いて、通常は店の宣伝を表示し、震災時等の時には避難場所や震災等の状況の情報を表示するなど、使用の方法や、それらの形状や構造や材質の種類は限定しない。【００４１】  図１１は請求項２に記載の「送電用又は通信用の配線の設置用、又は水又は熱水などの水道用の管の設置用、及びそれらの装置の制御用及び機能用の装置の設置用の、フェンス構造」の簡略図一例を示し、図１１の（Ａ）及び（Ｂ）は請求項１のフェンスの内部に設けられた請求項２に記載の「使用可能な配線又は配管などを貫通させる穴」の空間を構成するフレーム（１１）に点線で示した配線又は配管（１２）の位置関係を示したものである。【００４２】  図１１の（Ｃ）はフェンスの外部に配線又は配管を配置し正面から見た断面の簡略図一例を示し、フェンスの外部に（１２）を有したものである。【００４３】  図１１の（Ｄ）はフェンスの構成面に穴を設けたものを斜め方向から見た簡略図一例を示したものである。【００４４】  フェンスに設ける空間構造の形状や構造の種類は本発明の条件を満たすものであればそれらの種類は限定しない。【００４５】  図１２は本発明請求項３で使用可能な「・・・枠の大きさを規格化したフェンスとの着脱用カセット、及び、前述の着脱用カセットの着脱用である、柱構造又はフレーム構造又は面構造を構成とした、上記請求項１のフェンス、・・・」の一例の簡略図を示し、図１２の（Ａ）は冷却用のラジエータ（１４）を内部に有したカセット（１３）示した図であり、図（１２）の（Ｂ）は図１２の（Ａ）を横から見た図でプロペラ（１６）が回転することにより矢印の方向へ風を送風するタイプの冷却装置であり、図１２の（Ｃ）は図１２の（Ａ）を着脱する請求項３のフレーム（１５）の簡略図である。【００４６】  また、（１３）のカセットは外枠の内側に、通常のフェンスの網を設けたものや、格子戸を設けたものや、高速道路等で使用されている防音用のパネル等を設けたものであってもよく、また、それらは本発明ののフェンス自体に設けられたものであってもよく、それらの形状や４７や材質などそれらの種類は限定しない。【００４７】  図１３は本発明で使用可能な太陽電池パネル、及び本発明で使用可能な「外側の面にシースルー型太陽電池パネル、及び、その太陽電池パネルより内側に水や熱水などの水道用の管」の一例の簡略図を示し、図１３の（Ａ）と図１３の（Ｂ）は太陽光パネル（１７）を内部に有したカセット（１３）と、（１３）を固定するフレーム（１５）を示した図であり、シースルータイプの太陽光パネルを複数枚有したカセットである。【００４８】  図１３の（Ｃ）〜図１３の（Ｆ）は非特許文献１の第１６８頁等のシースルー型の太陽光パネル（１７）と太陽電池パネルより内側に設けた水道用の管（１８・１９・１９’）をそれぞれ有したカセット（１３）を示した簡略図である。【００４９】  図１３の（Ｄ）と図１３の（Ｃ）を横から見た簡略図であり、太陽の熱により熱水を作る水道用の管（１８）と水を流す水道用の管（１９）及び熱水を流す水道用の管（１９’）が片面から入ってくる太陽光により暖められるタイプのものである。【００５０】  図１３の（Ｆ）と図１３の（Ｅ）を横から見た簡略図であり、太陽の熱により熱水を作る管（１８）と水を流す水道用の管（１９）及び熱水を流す水道用の管（１９’）が両面から太陽光が入ることが可能なカセットのタイプのものである。【００５１】  また、図１３の（Ｅ）では熱水を半分ほど排出した後に新たに水を管に入れて温める方式のものであるが、管の上部付近に空気の開通用のバルブ装置を設けるなどそれらの組み合わせの種類は限定しない。【００５２】  図１３の（Ｂ）や図１３の（Ｄ）にカセットの内部に入ってきた光を反射させるための鏡を設置することも可能である。【００５３】  図１４は本発明のフェンスの使用例の簡略図一例を示し、図１４の（Ａ）と（Ｂ）は鉄道に本発明のフェンスを設けたものであり、（Ａ）は正面から見た簡略図で、（Ｂ）は側面から見た簡略図で、フェンスの蓄電装置収納部分（２１）が、脚用柱（２０）により持ち上げられた状態で設置されたものであり、雪が積もりやすい地帯などで雪かきをしやすいように設置したものであり、電車の乗客が風景を見やすくするために（２１）の高さを低く抑えたものでもあり、形状や構造などそれらの種類は限定しない。【００５４】  図１４の（Ｃ）と（Ｄ）は商店街にフェンスを梁状にして設けたものであり、（Ｃ）は側面から見た簡略図で、（Ｄ）は正面から見た簡略図で、フェンスの蓄電装置収納部分（２３）が、柱（２２）により持ち上げられた状態で設置されたものであり、梁（２４）に看板形状のディスプレー（２５）が懸架され、（２４）上部に太陽電池パネル（２６）が設けられたものであり、（２４）の上部には地震等により万が一の蓄電装置の落下等を防ぐため（２６）を設けたものである。【００５５】  図１４の（Ｅ）と（Ｆ）は住宅に本発明のフェンスを設けたものであり、（Ｅ）は上方から見た簡略図で、（Ｆ）は住宅を正面から見た簡略図で、本発明のフェンス（２７）を設けたものである。【００５６】  災害時や緊急時に政府機関等が使用できるように作動する、非常用電源としてのコンセント機能や非常用発電及び充電警報器等の装置や機構の種類は限定しない。【００５７】  本発明の実施態様は以下の通りである。１．本発明の交通道の長さは何キロメ���トルであってもよく、また交通道に沿って設けるフェンスの長さも請求項１の条件以上の長さであればよい。２．本発明の請求項の条件を満たすものであれば、形状や材質や構造などその種類は限定しない。３．本発明の請求項の条件を満たすものであれば、本発明に複合する機能や装置や構造体などその種類は限定しない。
【符号の説明】
【００５８】１：フェンス用柱  、  ２：蓄電装置収納用カバー  、  ３：フェンス  、  ４：太陽電池  、  ５：支え  、  ６：ガードレール  、  ７：柱  、  ８：電車  、  ９：自動車１０：蓄電装置装着用の棚  、  １１：フレーム、  １２：配線又は配管、  １３：カセット、  １４：ラジエータ、  １５：フレーム、  １６：プロペラ、  １７：太陽光パネル、  １８・１９・１９’：水道用の管、  ２０：脚用柱、  ２１・２３：フェンスの蓄電装置収納部分、  ２２：柱 、  ２４：梁、  ２５：看板用のディスプレー、  ２６：太陽電池パネル 、  ２７：本発明のフェンス
【手続補正２】
【補正対象書類名】特許請求の範囲
【補正対象項目名】全文
【補正方法】変更
【補正の内容】
【特許請求の範囲】
【請求項１】
着脱用の蓄電装置又は着脱用の蓄電装置ケースの、支持用又は隔離用の柱構造又はフレーム構造又は面構造、を構成としたフェンス、  及び、前述のフェンスを道路又は鉄道を構成する交通道に沿って１キロメートルに対して１０メートル以上の長さの比率で設置した道路又は鉄道を構成する交通道、を構成としたことを特徴とする、道路又は鉄道を構成する交通道。
【請求項２】
上記請求項１のフェンスにおいて、  太陽電池パネルの設置用、又は送電用又は通信用の配線の設置用、又は水又は熱水などの水道用の管の設置用、及びそれらの装置の制御用及び機能用の装置の設置用の、フェンス構造、を構成としたことを特徴とする、請求項１のフェンス。
【請求項３】
上記請求項１のフェンスにおいて、  蓄電装置又は蓄電装置ケース、又は送電用又は通信用の配線の通過及び設置用の空洞構造、又は水又は熱水などの水道用の管の通過及び設置用の空洞構造、など蓄電装置を構成とし、枠の大きさを規格化したフェンスとの着脱用カセット、  及び、前述の着脱用カセットの着脱用である、柱構造又はフレーム構造又は面構造を構成とした、上記請求項１のフェンス、  及び、上記の着脱用カセット又は上記のフェンスにおける、上記の装置の制御用及び機能用の装置の設置用構造、を構成としたことを特徴とする、請求項１のフェンス。